(57)【要約】【課題】ブロードキャストデータ等のサービス情報の再送待ちの間に間欠受信を行うことができ、ひいては端末の電池の寿命が長くなる無線通信端末および受信制御方法を提供する。【解決手段】制御部８３は、サービス情報の受信の制御に際して、通信部８２を制御して、ブロードキャストサービスを実行中に、まず一通りブロードキャストデータを受信し、ここで何らかの要因で途中のパケットを受信できなかった場合、そのパケットの再送待ちをし、再送待ちの間に今まで受信した全データと、直近（たとえば30秒）に受信したデータからそれぞれ転送速度を求め、次回に自分が必要なパケットが来るまでの時間を予測する。その時間が来るまで、無線通信端末（ＡＴ）８は自分に割当てられた間隔で間欠受信をする。【選択図】図７
2006339893.tif 000002
【特許請求の範囲】
【請求項１】
ブロードキャスト／マルチキャスト・サービスにより放送されるパケットを受信する受信手段と、
前記受信手段が受信に失敗したパケットがある場合、当該パケットが再度放送されるまでは前記ブロードキャスト／マルチキャスト・サービスにより放送されるパケットの受信を停止するように制御する制御手段と
を備える無線通信端末。
【請求項２】
前記制御手段は、前記受信手段が既に受信したデータに基づいて前記受信に失敗したパケットが再度放送されるまでの時間を予測する
ことを特徴とする請求項１記載の無線通信端末。
【請求項３】
前記制御手段は、前記ブロードキャスト／マルチキャスト・サービスにより放送されるパケットの受信転送速度に基づいて前記受信に失敗したパケットが再度放送されるまでの時間を予測する
ことを特徴とする請求項１記載の無線通信端末。
【請求項４】
前記制御手段は、前記受信に失敗したパケットが再度放送されるまでの予測時間が所定時間以上の場合、前記ブロードキャスト／マルチキャスト・サービスにより放送されるパケットの受信を停止するように制御する
ことを特徴とする請求項２または３記載の無線通信端末。
【請求項５】
前記制御手段は、前記ブロードキャスト／マルチキャスト・サービスにより放送されるパケットの受信を停止している間、前記受信手段が基地局の制御情報を監視するための間欠受信を行うように制御する
ことを特徴とする請求項１記載の無線通信端末。
【請求項６】
前記制御手段は、前記受信手段が基地局の制御情報を監視するための間欠受信を行うタイミングで前記ブロードキャスト／マルチキャスト・サービスにより放送されるパケットを受信して、当該受信したパケットに基づいて前記受信に失敗したパケットが再度放送されるまでの時間を予測する
ことを特徴とする請求項５記載の無線通信端末。
【請求項７】
ブロードキャスト／マルチキャスト・サービスにより放送されるパケットを連続受信して、当該連続受信において受信に失敗したパケットがある場合、当該パケットが再度放送されるまでは前記ブロードキャスト／マルチキャスト・サービスにより放送されるパケットの受信を止める
ことを特徴とする受信制御方法。
【請求項８】
既に前記受信したデータに基づいて前記受信に失敗したパケットが再度放送されるまでの時間を予測する
ことを特徴とする請求項７記載の受信制御方法。
【請求項９】
前記ブロードキャスト／マルチキャスト・サービスにより放送されるパケットの受信転送速度に基づいて前記受信に失敗したパケットが再度放送されるまでの時間を予測する
ことを特徴とする請求項７記載の受信制御方法。
【請求項１０】
前記受信に失敗したパケットが再度放送されるまでの予測時間が所定時間以上の場合、前記ブロードキャスト／マルチキャスト・サービスにより放送されるパケットの受信を停止するように制御する
ことを特徴とする請求項８または９記載の受信制御方法。
【請求項１１】
前記ブロードキャスト／マルチキャスト・サービスにより放送されるパケットの受信を停止している間、前記受信手段が基地局の制御情報を監視するための間欠受信を行うように制御する
ことを特徴とする請求項７記載の受信制御方法。
【請求項１２】
前記基地局の制御情報を監視するための間欠受信を行うタイミングで前記ブロードキャスト／マルチキャスト・サービスにより放送されるパケットを受信して、当該受信したパケットに基づいて前記受信に失敗したパケットが再度放送されるまでの時間を予測する
ことを特徴とする請求項１１記載の受信制御方法。
【発明の詳細な説明】
【技術分野】
【０００１】
本発明は、たとえばブロードキャストサービスおよび／またはマルチキャストサービスに対応した無線通信システムに適用される無線通信端末および受信制御方法に関するものである。
【背景技術】
【０００２】
現在、1xEV-DO通信方式がすでに商用化されているが、この機能の１つにブロードキャスト／マルチキャスト・サービス（Broadcast Multicast Service：ＢＣＭＣＳ)がある。
【０００３】
ブロードキャストサービスは、無線通信回線網を利用し、基地局が自局のサービスエリア（たとえば、セルやセクタ）内の無線通信端末全体に対して継続的にデータをコネクションレス形式で送信する、すなわち、「放送する」サービス形態である。
【０００４】
マルチキャストサービスは、ブロードキャストサービスの類似のサービスであるが、サービスエリア（たとえば、セルやセクタ）内の無線通信端末の中でも特定のサービス情報（たとえば、有料サービス）を契約している特定のユーザのみが視聴できるように放送するサービス形態である。
【０００５】
図１は1xEV-DO方式におけるブロードキャストデータ・ユーザデータ送信スケジュールを示す図であり、図２は1xEV-DO方式におけるブロードキャストデータの周期的送信スケジュールを示す図である。
1xEV-DO通信方式におけるブロードキャストサービスはユニキャストのデータ通信とは違い、基地局は希望するユーザ全てに同一データを配信する（図１）。
このとき、端末側は受信のみで送信することはできないため、何らかの障害があって一部のデータを受信できなかったユーザがいても、そのユーザは再送要求を出すことができない。
【０００６】
しかし、そのようなユーザのために、ブロードキャストサービスのデータは一定周期で繰り返し配信される（図２）
このため受信に失敗したユーザは、自分に必要なデータが次に配信されるまでブロードキャストデータの受信を続ける。この時、端末は、まだ自分はブロードキャストサービスの受信を続けているということを示すＢＣＭＣＳフローレジストレーションメッセージ（BCMCS Flow Registration Message）を一定間隔で送信する。
【０００７】
また、ブロードキャストサービスを実行中の端末はデータ通信中の場合と同様に、ブロードキャストデータが不定期に放送されてくるため、常に無線回路（受信回路）に電源による電力を供給し、無線リンク（Traffic Channel、Broadcast Channel）を監視し続ける必要がある。この状態を連続受信状態と言う。
連続受信状態とは別に待受け中の端末は間欠受信と呼ばれる動作を行っている。
間欠受信とは基地局が、予め端末側と基地局側でネゴシエーションしておいたタイミングで定期的に端末に必要な情報（報知情報や着信）を送信し、その結果、端末は自分宛の情報が来るまでの間無線回路への電源電力の供給をカットして、消費電力を下げるというものである（図３：間欠受信）。
【０００８】
現状1xEV-DO通信方式における間欠受信の間隔は、常に一定であるCDMA2000 1x方式とは違い“PPP Session”があるかないかで間隔が異なっている。これはCDMA2000 1x方式や、1xEV-DO通信方式で “PPP Session”がある場合は着信の可能性があるため、間欠受信の間隔を短くする必要がある。
現状、この“PPP Session”がある場合の間隔は5.12秒となっている。1xEV-DO通信方式で“PPP Session”がない場合は着信の可能性がないため、基地局のエリア情報に変化がないかというチェックだけですむ。この場合、現状で間欠受信間隔は先の5.12秒に比べてさらに長くなる。
無線システムのブロードキャストサービスについては、以下の特許文献１に記載されている。
【特許文献１】特表２００４−５３１９３７号公報
【発明の開示】
【発明が解決しようとする課題】
【０００９】
しかし、上記した間欠受信は1xEV-DO通信方式しかサポートしていない無線通信端末における場合であり、CDMA2000 1x方式との両方式をサポートしている端末は、両方式における間欠受信を満たさなくてはならない。
またそのような無線通信端末であり、さらに無線部分を両方式でシェアする端末（以下ハイブリッド（Hybrid）端末とする）の場合、互いの間欠受信タイミングが重なっては（かぶっては）いけないため、図４に示すように、約2.5秒ごとに交互に間欠受信を行うようにしている。
また、Hybrid端末ではCDMA2000 1x方式の方が優先であるため、図５に示すように、1xEV-DO通信方式が通信中であっても、5.12秒間隔でCDMA2000 1x方式に無線部の制御を渡すことになる。
【００１０】
このような状況を回避するため、今後CDMA2000 1x方式のシグナルメッセージを1xEV-DO通信方式上のメッセージとして流し、CDMA2000 1x方式の方にできるだけ無線部の制御を渡さないようにする仕様が、1xEV-DO通信方式の拡張版である1xEV-DO Rev.Aに含まれている。
この仕様を満たした場合、間欠受信は1xEV-DO通信方式でしか行わなくても良いが、その代わり“PPP Session”の有無に関係なく5.12秒間隔の間欠受信を行わなくてはならない。
【００１１】
ここで、蓄積型のデータをブロードキャストサービスで配信した時にかかる時間を試算してみる。
このデータサイズを5 MByte、ブロードキャストのData Rateを75 kbps（物理レイヤーの転送速度：614.4 kbps、物理レイヤー中の実データ割合：2/3、ブロードキャストデータに割当てるスロット：1/６）とすると、5×1024×8/75≒550秒、すなわち、１周期受信するのにおよそ10分かかる。
このように、従来の無線通信端末では、ブロードキャストサービスにおいて受信に失敗したデータを再度受信するまで（再送待ちの間）、常に無線リンクを監視する必要があるため電力の消費が多くなり、電池の寿命が短くなるという不利益がある。
【００１２】
本発明の目的は、ブロードキャストデータ等のサービス情報の再送待ちの間に間欠受信を行うことができ、ひいては端末の電池の寿命が長くなる無線通信端末および受信制御方法を提供することにある。
【課題を解決するための手段】
【００１３】
本発明の第１の観点の無線通信端末は、ブロードキャスト／マルチキャスト・サービスにより放送されるパケットを受信する受信手段と、前記受信手段が受信に失敗したパケットがある場合、当該パケットが再度放送されるまでは前記ブロードキャスト／マルチキャスト・サービスにより放送されるパケットの受信を停止するように制御する制御手段とを備えている。
【００１４】
好適には、前記制御手段は、前記受信手段が既に受信したデータに基づいて前記受信に失敗したパケットが再度放送されるまでの時間を予測する。
【００１５】
好適には、前記制御手段は、前記ブロードキャスト／マルチキャスト・サービスにより放送されるパケットの受信転送速度に基づいて前記受信に失敗したパケットが再度放送されるまでの時間を予測する。
【００１６】
好適には、前記制御手段は、前記受信に失敗したパケットが再度放送されるまでの予測時間が所定時間以上の場合、前記ブロードキャスト／マルチキャスト・サービスにより放送されるパケットの受信を停止するように制御する。
【００１７】
好適には、前記制御手段は、前記ブロードキャスト／マルチキャスト・サービスにより放送されるパケットの受信を停止している間、前記受信手段が基地局の制御情報を監視するための間欠受信を行うように制御する。
【００１８】
好適には、前記制御手段は、前記受信手段が基地局の制御情報を監視するための間欠受信を行うタイミングで前記ブロードキャスト／マルチキャスト・サービスにより放送されるパケットを受信して、当該受信したパケットに基づいて前記受信に失敗したパケットが再度放送されるまでの時間を予測する。
【００１９】
本発明の第２の観点の受信制御方法は、ブロードキャスト／マルチキャスト・サービスにより放送されるパケットを連続受信して、当該連続受信において受信に失敗したパケットがある場合、当該パケットが再度放送されるまでは前記ブロードキャスト／マルチキャスト・サービスにより放送されるパケットの受信を止める。
【発明の効果】
【００２０】
本発明によれば、ブロードキャストデータ等のサービス情報の再送待ちの間に間欠受信を行うことにより、端末の電池の寿命が長くなる。
【発明を実施するための最良の形態】
【００２１】
以下、本発明の実施形態を図面に関連付けて説明する。
【００２２】
図６は、本発明の実施形態に係る無線通信システムの構成図である。
【００２３】
図６の無線通信システム１は、コンテンツサーバ２がＩＰネットワーク３を介してブロードキャスト／マルチスキャンサービス（ＢＣＭＣＳ）コントローラ４により制御されるＰＤＳＮ５に接続され、ＰＤＳＮ５はＢＴＳ／ＰＣＦ６を通して基地局としてのアクセスポイント（ＡＰ）７に接続されている。また、ＰＤＳＮ５はパケットデータ処理ノードを意味する。
【００２４】
本実施形態の無線通信システム１および無線通信端末（ＡＴ：Ａｃｃｅｓｓ Ｔｅｒｍｉｎａｌ）８は、たとえば符号分割多重方式のCDMA2000 1x方式（第１の通信方式）と時分割多重接続方式の1xEV-DO通信方式（第２の通信方式）のうち、少なくとも1xEV-DO通信方式（第２の通信方式）に適用可能に構成されている。
【００２５】
基地局としてのアクセスポイント（ＡＰ）７は、自局がカバーするセル（またはセクタ）をサービスエリアとして、このサービスエリア内に存在する無縁通信端末（ＡＴ）８全体に対してコンテンツサーバ２のサービス情報を放送（配信）する。
【００２６】
ブロードキャストサービスやマルチキャストサービスで放送するデータの形態としては、具体的に、文字情報や音声、音楽情報や映像情報等があり、ここではこれらの情報をサービス情報と呼んでいる。
【００２７】
ＢＣＭＣＳにおいては、無線通信端末（ＡＴ）８と基地局であるアクセスポイント（ＡＰ）７間でアクセスポイント（ＡＰ）７が放送するデータを無線通信端末（ＡＴｔ）８が一方的に受信する。
【００２８】
ブロードキャストサービスを実行中の無線通信端末（ＡＴ）８は、まず一通りブロードキャストデータを連続受信する。ここで何らかの要因で途中のパケットを受信できなかった（失敗した）場合、そのパケットが再度放送されるの待つ（再送待ちをする）。
本実施形態においては、その再度放送されるのを待っている（再送待ちの）間に今まで受信した全データと、直近（例：30秒間）に受信したデータからそれぞれ転送速度を求め、次回に自分が必要なパケットが来るまでの時間を予測する。その時間が来るまで、無線通信端末（ＡＴ）８はブロードキャストデータを受信するための連続受信を止めて（中止、停止）、自分に割当てられた間隔で、基地局であるアクセスポイント（ＡＰ）７の制御情報の間欠受信をする。
このとき、無線通信端末（ＡＴ）８は、基地局であるアクセスポイント（ＡＰ）７の制御情報を監視する間欠受信中において通信状態を確認する際に不定期に放送されてくるブロードキャストデータを受信し、次回に再度放送されるのを待っているパケットが来るまでの時間を補正する。
その際に次回の間欠受信のタイミングまでにＢＣＭＣＳフローレジストレーションメッセージ（BCMCS Flow Registration Message）を送信する必要があると判断した場合、ＢＣＭＣＳフローレジストレーションメッセージ（BCMCS Flow Registration Message）を前もって送信する。システムによって必要ない場合は省略してもよい。
【００２９】
次に、本実施形態の無線通信端末（ＡＴ）８について説明する。
【００３０】
図７は、本実施形態の無線通信端末（ＡＴ）８の構成を示すブロック図である。
図８は、本実施形態の無線通信端末（ＡＴ）８における制御部および記憶部の機能ブロック図である。
【００３１】
無線通信端末（ＡＴ）８は、通常の音声通信やデータ通信のほか、ＢＣＭＣＳの受信に対応しており、アンテナ８１、ＲＦ回路を含む無線通信部８２、制御部８３、記憶部８４、表示部８５、および入力部８６を、主構成要素として有している。
【００３２】
アンテナ８１は、無線通信部８２に接続されており、基地局であるアクセスポイント（ＡＰ）７から送信されてくる電波を受信し、アクセスポイント（ＡＰ）７に電波を送信する。
【００３３】
無線通信部８２は、アンテナ８１で受信した高周波信号をデジタル信号に復調し、制御部８３の制御の下、送信すべきデジタル信号を変調してアンテナ８１に送出する。
【００３４】
制御部８３は、記憶部８４に記憶されているプログラムを実行することによって音声通信やデータ通信の動作の制御や無線通信を利用する様々なサービスを処理する。たとえばブロードキャストサービスのサービス情報の受信の制御、アクセスポイント（ＡＰ）の切り替え(ハンドオフ)等の制御を行う。
【００３５】
制御部８３は、サービス情報の受信の制御に際して、無線通信部８２を制御して、ブロードキャストサービスを実行中に、まず一通りブロードキャストデータを連続受信し、ここで何らかの要因で途中のパケットを受信できなかった場合、そのパケットの再度放送されるのを待つ。
制御部８３は、再度放送されるのを待つ（再送待ちの）間に今まで受信した全データと、直近（例：30秒間）に受信したデータからそれぞれ転送速度を求め、次回の再度放送されるパケットが来るまでの時間を予測する。その時間が来るまで、無線通信端末（ＡＴ）８は、ブロードキャストデータを受信するための連続受信を止めて（中止、停止）、自分に割当てられた間隔で間欠受信をする。
制御部８３は、間欠受信中の通信状態を確認する際に不定期に送信されてくるブロードキャストデータを受信し、次回の再度放送されるパケットが来るまでの時間を補正する。制御部８３は、その際に次回の間欠受信のタイミングまでにＢＣＭＣＳフローレジストレーションメッセージ（BCMCS Flow Registration Message）を送信する必要があると判断した場合、無線通信部８２を制御してＢＣＭＣＳフローレジストレーションメッセージ（BCMCS Flow Registration Message）を前もって送信する。システムによって必要ない場合は省略してもよい。
【００３６】
制御部８３は、以上の機能を実現するために、図８に示すように、ブロードキャストデータ結合部８３１、予測転送速度計算部８３２、予測転送時間計算部８３３、過去３０秒間のブロードキャストデータ転送速度計算部８３４、および間欠受信中のブロードキャストデータ転送速度計算部８３５を有している。
【００３７】
制御部８３は、無線通信部８２に対する電源部８７からの電力供給を制御し、その際、連続受信状態時には電源部８７から無線通信部８２に対して電力供給をし続け、間欠受信状態時には、受信すべき期間に合わせて間欠的に無線通信部８２に対して電力供給を行うように制御する。
【００３８】
記憶部８４は、無線通信端末（ＡＴ）８の動作に必要な情報や制御プログラムを記憶する。たとえば、現在無線通信端末（ＡＴ）８が受信しているサービス情報や、サービス情報の受信に際して制御部８３で処理して得られた情報、基地局としてのアクセスポイント（ＡＰ）７から受信した周辺基地局情報が記憶される。
【００３９】
記憶部８４は、制御部８３においてサービス情報であるブロードキャストデータの受信に際して得られる情報を記憶するため、図８に示すように、ブロードキャストデータ記憶部８４１、予測転送速度記憶部８４２、予測転送時間記憶部８４３、ブロードキャストデータ転送時間記憶部８４４、および過去３０秒間のブロードキャストデータ量記憶部８４５を含む。
【００４０】
表示部８５は、制御部８３によって制御され、文字情報、画像情報、無線通信端末（ＡＴ）８の動作状態(電界強度、電池残量、時刻など)等を表示するＬＣＤ等の表示パネルと、表示パネルを照明するバックライト等によって構成される。
入力部８６は、文字、数字の入力、無線通信端末（ＡＴ）８への動作の指示等を受け付ける。
【００４１】
本実施形態のブロードキャストデータを受信する場合の具体的な処理手順を、図９のフローチャートに関連付けて説明をする。
【００４２】
たとえば1xEV-DO通信方式でブロードキャストデータを受信している無線通信端末（ＡＴ）８は、まず1周期分データを連続受信する（ＳＴ１）。
1周期分受信が終了した時点で（ＳＴ２）、受信に失敗した（欠落）パケットがあるかどうかをチェックする（ＳＴ３）。
受信失敗したパケットがある場合、1周期のデータ転送速度：V(T)、直近時間α（例：30秒間）のデータ転送速度：V(α)、を求め、速い方を予測転送速度：Vとする（ＳＴ４〜ＳＴ６）。
【００４３】
予測転送速度Vと現在のシーケンス番号から、次回放送されて来る、前回受信できなかった（欠落）パケットのシーケンス番号までの予測時間：Tnを求める（ＳＴ７）。
欠落パケットが放送される予測時間Tnが一定時間（所定時間）β（例：3秒）以上の場合、一定時間βを切るまで間欠受信に入り、β未満の場合はそのまま連続受信する（ＳＴ８〜ＳＴ１０とＳＴ２１）。
間欠受信の基地局であるアクセスポイント（ＡＰ）７の制御情報の監視タイミングになった場合（ＳＴ１１）、通常ならクイックコンフィグメッセージ（Quick Config Message）の受信後にスリープモード（Sleep Mode）（無線通信部８２に電力供給をしない状態）に入るが、本実施形態ではブロードキャストデータを受信するために連続受信する（ＳＴ１２）。
受信したブロードキャストデータから現在のシーケンス番号をチェックし、予測転送速度Vから予測したシーケンス番号と比較する（ＳＴ１４）。
シーケンス番号の差異がγ（例：10）未満の場合はこのまま間欠受信に入り、γ以上異なる場合は以下の再計算をする。
前回受信したブロードキャストデータからの時間と、今回受信したブロードキャストデータから新しい転送速度V(S)を再計算する（ＳＴ１５）。
そして、予測転送速度Vと新しい転送速度V(S)を比較し、転送速度が速い方をVとする（ＳＴ１６）。
【００４４】
次に、Vと現在のシーケンス番号から、予測時間Tnを再計算する（ＳＴ１７）。
次回の間欠受信のタイミングまでにBCMCS Flow Registration Messageを送信しないといけないと判断した場合、BCMCS Flow Registration Messageを前もって送信する（ＳＴ１８，ＳＴ１９）。システムによって必要な場合は省略してもよい。
そして、欠落パケットが放送される予測時間Tnが一定時間βを切る（以内）まで繰り返す（ＳＴ１１〜ＳＴ１９）。
そして、予測時間Tnが一定時間β未満になると、連続受信動作に入る（ＳＴ２１）。ブロードキャストデータが完成するまでステップＳＴ７〜ＳＴ２２の動作を繰り返す。
【００４５】
なお、上記説明中に例で用いた値は、他の値を使用しても良い。
【００４６】
図１０は、本実施形態の効果を説明するための図である。
本実施形態においては、図９に示すように、従来の技術では連続受信していた時間が、間欠受信している。
間欠受信中に51番のブロードキャストデータを受信して予測転送速度と予測時間を補正している。この時の連続受信状態時に、次回の間欠受信までにＢＣＭＣＳフローレジストレーションメッセージ（BCMCS Flow Registration Message）を送信しなければならないようなら、前もって送信しておく。
予測時間が一定時間より短くなれば連続受信状態に戻って、目的とするブロードキャストデータを待つ。
したがって、ブロードキャストデータ等のサービス情報が再度放送されるの待っている（再送待ちの）間に間欠受信を行うことができ、ひいては端末の電池の寿命が長くなるという利点がある。
【００４７】
なお、本発明は、実施形態に限定するものではなく、たとえば、本発明の無線通信端末は、携帯電話機、無線通信カード、無線通信モジュール、など無線通信機能を有する装置を含むものである。
【図面の簡単な説明】
【００４８】
【図１】1xEV-DO方式におけるブロードキャストデータ・ユーザデータ送信スケジュールを示す図である。
【図２】1xEV-DO方式におけるブロードキャストデータの周期的送信スケジュールを示す図である。
【図３】通常の間欠受信タイミングを示す図である。
【図４】Hybrid端末の待受け時の間欠受信タイミングを示す図である。
【図５】Hybrid端末のEV-DO通信時の間欠受信タイミングを示す図である。
【図６】本発明の実施形態に係る無線通信システムの構成図である。
【図７】本実施形態の無線通信端末（ＡＴ）８の構成を示すブロック図である。
【図８】本実施形態の無線通信端末（ＡＴ）８における制御部および記憶部の機能ブロック図である。
【図９】本実施形態の動作を説明するための図である。
【図１０】本実施形態の効果を説明するための図である。
【符号の説明】
【００４９】
１・・・無線通信システム、２・・・コンテンツサーバ、３・・・ＩＰネットワーク、４・・・ブロードキャスト／マルチスキャンサービス（ＢＣＭＣＳ）コントローラ、５・・・ＰＤＳＣ５，６・・・ＢＴＳ／ＰＣＦ、７・・・基地局であるアクセスポイント（ＡＴ）、８・・・無線通信端末（ＡＴ）８１・・・アンテナ、８２・・・無線通信部、８３・・・制御部、８４・・・記憶部、８５・・・表示部、８６・・・入力部。
【図１】
2006339893.tif 000003
【図２】
2006339893.tif 000004
【図３】
2006339893.tif 000005
【図４】
2006339893.tif 000006
【図５】
2006339893.tif 000007
【図６】
2006339893.tif 000008
【図７】
2006339893.tif 000009
【図８】
2006339893.tif 000010
【図９】
2006339893.tif 000011
【図１０】
2006339893.tif 000012